(57)【要約】【課題】冷却機能が得られると共に臭い問題も解決できる衣服の提供。【解決手段】衣服に取り付けられる冷却衣服用送風装置５、７は、内側カバー部材２１の内方側に固形剤２５が配置されている。ファン１９の回転により衣服の外部から取り込まれた空気は内側カバー部材２１から吹き出され、その一部はキャップ部材２７の空気流入口２７ｂから内部に入り込んで固形剤２５に接触し、キャップ部材２７の内方端の空気流出口２７ｃから流出する。固形剤２５は素焼きのストーン２５ａにハッカ油２５ｂを垂らしたものであり、素焼きストーン２５ａに臭い成分が吸着されて消臭される。また、ハッカ油２５ｂの揮発分が汗に混ざり合うので、その汗が気化して身体が冷却されたときに通常よりも強い爽快冷え感が感じられるようになる。【選択図】  図２
2019073840.tif 000002
【特許請求の範囲】
【請求項１】
衣服に取り付けられるカバー部材と、前記カバー部材内に収容されたモーター及び前記モーターで回転するファンとを有し、前記ファンの回転で衣服の外部から内部へ空気を取り込んで衣服と身体との間に気流を形成する冷却衣服用送風装置において、
前記カバー部材の衣服の内部側に設けられた筒状部材と、前記筒状部材内に収容された揮発性の機能性成分を含む固形剤または半固形剤とを有し、前記筒状部材は、前記ファンの回転による気流の一部を筒内に取り込んで筒外に流出させる形状を有していることを特徴とする冷却衣服用送風装置。
【請求項２】
請求項１に記載した冷却衣服用送風装置において、
前記筒状部材が前記固形剤等を着脱可能に設けられていることを特徴とする冷却衣服用送風装置。
【請求項３】
請求項１または２に記載した冷却衣服用送風装置において、
前記固形剤等が素焼きのストーンにハッカ油を垂らしたもので構成されていることを特徴とする冷却衣服用送風装置。
【請求項４】
請求項２または３に記載した冷却衣服用送風装置において、
前記筒状部材が前記カバー部材に対して着脱自在に設けられていることを特徴とする冷却衣服用送風装置。
【請求項５】
請求項１から４のいずれかに記載した冷却衣服用送風装置において、
前記筒状部材が前記ファンの回転軸心上に配置され、前記筒状部材の前記カバー部材側には周方向に間隔をおいて複数の空気流入口が形成され、前記筒状部材の前記カバー部材と反対側には少なくとも１つの空気流出口が形成されていることを特徴とする冷却衣服用送風装置。
【請求項６】
請求項１から５のいずれかに記載した冷却衣服用送風装置と、前記モーターに電力を供給する電源と、前記モーターと前記電源とを電気的に接続する導線とを有することを特徴とする冷却衣服用送風装置ユニット。
【請求項７】
請求項１から５のいずれかに記載した冷却衣服用送風装置又は請求項６に記載した冷却衣服用送風装置ユニットを備えたことを特徴とする冷却衣服。
【発明の詳細な説明】
【技術分野】
【０００１】
本発明は、ファンの回転で衣服の外部から空気を取り込んで身体を冷却する冷却衣服用送風装置、冷却衣服用送風装置を含む冷却衣服用送風装置ユニット及び冷却衣服用送風装置又は冷却衣服用送風装置ユニットを備えた冷却衣服に関するものである。
【背景技術】
【０００２】
この種の冷却衣服は、衣服に冷却衣服用送風装置を直接取り付けてファンの回転で外部の空気を内部に取り込み、身体と衣服との間に気流を形成することにより、身体の表面から出る汗を気化させて身体から熱を奪うことで冷却する原理に基づいている。工事現場等で働く作業員は安全性を考慮して厚手の作業服を着なければならず、夏場には大量の汗をかき易い。この場合、身体と衣服との間に熱が籠って熱中症になり易い。このような問題を解消するために冷却衣服が開発され、その実用性の高さから広く普及している。
【先行技術文献】
【特許文献】
【０００３】
【特許文献１】特開２００６−１３２０４０号公報
【発明の概要】
【発明が解決しようとする課題】
【０００４】
工事現場等での作業は発汗量が多くなり、汗をかくと皮膚が高温多湿な状態になる。このため、細菌による汚れの分解臭が強くなって、体臭と相まって臭いが強くなる。上記のように、この種の冷却衣服では本来の目的である冷却機能は満足できるレベルに達しているが、臭いについての対策はこれまで考慮されていなかった。汗をかけばかくほど臭いは強くなるが、ファンによる気流で臭いも体外に強制的に排出されるため、特に閉鎖的な環境で冷却衣服を使用する場合には、臭い対策が望まれていた。
【０００５】
本発明は上記従来の問題点に着目して為されたものであり、冷却機能が得られると共に臭い問題も抑制できる冷却衣服用送風装置、冷却衣服用送風装置ユニット及び冷却衣服用送風装置又は冷却衣服用送風装置ユニットを備えた冷却衣服の提供を、その目的とする。
【課題を解決するための手段】
【０００６】
本発明は、上記目的を達成するために為されたものであり、請求項１の発明は、衣服に取り付けられるカバー部材と、前記カバー部材内に収容されたモーター及び前記モーターで回転するファンとを有し、前記ファンの回転で衣服の外部から内部へ空気を取り込んで衣服と身体との間に気流を形成する冷却衣服用送風装置において、前記カバー部材の衣服の内部側に設けられた筒状部材と、前記筒状部材内に収容された揮発性の機能性成分を含む固形剤または半固形剤とを有し、前記筒状部材は、前記ファンの回転による気流の一部を筒内に取り込んで筒外に流出させる形状を有していることを特徴とする冷却衣服用送風装置である。
【０００７】
請求項２の発明は、請求項１に記載した冷却衣服用送風装置において、前記筒状部材が前記固形剤等を着脱可能に設けられていることを特徴とする冷却衣服用送風装置である。
【０００８】
請求項３の発明は、請求項１または２に記載した冷却衣服用送風装置において、前記固形剤等が素焼きのストーンにハッカ油を垂らしたもので構成されていることを特徴とする冷却衣服用送風装置である。
【０００９】
請求項４の発明は、請求項２または３に記載した冷却衣服用送風装置において、前記筒状部材が前記カバー部材に対して着脱自在に設けられていることを特徴とする冷却衣服用送風装置である。
【００１０】
請求項５の発明は、請求項１から４のいずれかに記載した冷却衣服用送風装置において、前記筒状部材が前記ファンの回転軸心上に配置され、前記筒状部材の前記カバー部材側には周方向に間隔をおいて複数の空気流入口が形成され、前記筒状部材の前記カバー部材と反対側には少なくとも１つの空気流出口が形成されていることを特徴とする冷却衣服用送風装置である。
【００１１】
請求項６の発明は、請求項１から５のいずれかに記載した冷却衣服用送風装置と、前記モーターに電力を供給する電源と、前記モーターと前記電源とを電気的に接続する導線とを有することを特徴とする冷却衣服用送風装置ユニットである。
【００１２】
請求項７の発明は、請求項１から５のいずれかに記載した冷却衣服用送風装置又は請求項６に記載した冷却衣服用送風装置ユニットを備えたことを特徴とする冷却衣服である。
【発明の効果】
【００１３】
本発明によれば、冷却機能が得られると共に臭い問題にも効果的に対応できる冷却衣服用送風装置、冷却衣服用送風装置ユニット及び冷却衣服用送風装置又は冷却衣服用送風装置ユニットを備えた冷却衣服を提供することができ、臭いによる作業環境の悪化の改善に寄与できる。
【図面の簡単な説明】
【００１４】
【図１】本発明の実施の形態に係る冷却衣服の使用状態を示す概要背面図である。
【図２】図１の冷却衣服における冷却衣服用送風装置の分解斜視図である。
【図３】図１の冷却衣服における冷却衣服用送風装置の内側カバー部材に対するキャップ部材の着脱構成を示す斜視図である。
【図４】図１の冷却衣服における冷却衣服用送風装置のキャップ部材を示す図で、（ａ）は正面図、（ｂ）は（ａ）のＸ−Ｘ線での断面図である。
【図５】図１の冷却衣服における冷却衣服用送風装置の衣服への取り付け状態を示す断面図である。
【図６】図２の固形剤の説明図である。
【図７】図２とは別の固形剤を用いる場合の、図１の冷却衣服における冷却衣服用送風装置の分解斜視図である。
【発明を実施するための形態】
【００１５】
本発明の実施の形態に係る冷却衣服用送風装置、冷却衣服用送風装置ユニット及び冷却衣服を図面にしたがって説明する。
図１に示すように、作業者の上着である冷却衣服１は、衣服３と、衣服３の背中におけるベルト位置近傍に取り付けられた１つ以上（ここでは２つ）の冷却衣服用送風装置５、７と、これらの冷却衣服用送風装置５、７の不図示のモーターに電力を供給する電源としての二次電池９と、スイッチ１１を介して二次電池９と各冷却衣服用送風装置５、７のモーターとを電気的に接続する導線１３、１５等とを備えている。二次電池９は衣服３に面状ファスナー等の手段で着脱自在に取り付けられた不図示のホルダケースに出し入れ自在に設けられており、衣服３と分離して充電可能となっている。冷却衣服用送風装置５、７、二次電池９、スイッチ１１、導線１３及び１５により冷却衣服用送風装置ユニット１７が構成されている。
【００１６】
冷却衣服用送風装置５及び７のファン（後述）の回転により衣服３の外部から取り込まれた空気は、身体と衣服３との間を流れ、裾口や首元から外部に吹き出される。気流が身体と衣服３との間を流通する過程で汗が蒸発し、その気化熱で身体が冷却される。スイッチ１１のＯＮ・ＯＦＦ操作で空冷のＯＮ・ＯＦＦができるようになっている。選択的なスイッチ操作でファンの回転数の強さ、即ち空冷の強さを可変できるようにしてもよい。
【００１７】
図２に示すように、冷却衣服用送風装置５、７は、ファン１９及びファン１９を回転駆動する駆動源としての不図示のモーターを収容した内側カバー部材２１と、この内側カバー部材２１と一体に連結される外側カバー部材２３と、内側カバー部材２１の内方側（矢印Ｉ側）の先端に配置される比較的扁平な円盤状の固形剤２５と、この固形剤２５を覆う筒状部材としての円筒状のキャップ部材２７とを有している。キャップ部材２７はファン１９の回転軸心ＣＬ上に配置されている。
【００１８】
内側カバー部材２１は、図３に示すように、環状壁部２１ａと、内側にモーターが固定される円形の台座２１ｂと、環状壁部２１ａの内方端と台座２１ｂとの間に放射状に配置され、環状壁部２１ａと台座２１ｂとを連結する複数の円弧状リブ２１ｃと、環状壁部２１ａの外方端に形成されたフランジ２１ｅと、環状壁部２１ａの内周面に形成された雌ネジ部２１ｆ（図２参照）とを有している。円弧状リブ２１ｃは気流を通過させる椀状で且つ網目状の骨組みを形成し、ファン１９の回転による衣服３の内方への空気の吹き出しが可能となっている。
【００１９】
図２に示すように、外側カバー部材２３は、環状壁部２１ａよりも径の小さい環状壁部２３ａと、円形の中心プレート２３ｂと、環状壁部２３ａの外方端と中心プレート２３ｂとの間に放射状に配置され、環状壁部２３ａと中心プレート２３ｂとを連結する複数の円弧状リブ２３ｃと、環状壁部２３ａの外方端に形成されたフランジ２３ｅと、環状壁部２３ａの外周面に形成され、内側カバー部材２１の雌ネジ部２１ｆに嵌合する雄ネジ部２３ｆとを有している。円弧状リブ２３ｃは気流を通過させる骨組みを形成し、ファン１９の回転による衣服３の外部から内方への空気の取り込みが可能となっている。
【００２０】
図３に示すように、台座２１ｂには、周方向に略等間隔に３つの開口部２１ｇが形成されている。これらの開口部２１ｇはキャップ部材２７を内側カバー部材２１に固定するためのもので、幅広部２１ｇ−１と、この幅広部２１ｇ−１に連通する幅狭部２１ｇ−２とからなっている。キャップ部材２７の外方端には周方向に略等間隔に断面がＬ字状の固定用凸部２７ａが各開口部２１ｇに対応して３つ形成されている。固定用凸部２７ａを開口部２１ｇの幅広部２１ｇ−１に挿入した後矢印方向（時計回り方向）にキャップ部材２７を回転させると、固定用凸部２７ａが開口部２１ｇの幅狭部２１ｇ−２に密接に入り込み、抜け止めされる。これにより内側カバー部材２１に対するキャップ部材２７の取り付けがなされる。キャップ部材２７の開口側（台座２１ｂ側）には、周方向に略等間隔に空気流入口２７ｂが３箇所に形成されている。また、キャップ部材２７の天板側（台座２１ｂと反対側）には円形の空気流出口２７ｃが形成されている。
【００２１】
キャップ部材２７の中に固形剤２５を入れてキャップ部材２７を台座２１ｂに固定することにより、固形剤２５を内側カバー部材２１に装着することができる。内側カバー部材２１を台座２１ｂが水平になるように置き、台座２１ｂ上に固形剤２５を載置した後キャップ部材２７を台座２１ｂに固定してもよい。図４に示すように、キャップ部材２７の内面には固形剤２５を保持するリブ２７ｄが軸方向に延びるように且つ周方向に等間隔で複数（ここでは６つ）形成されている。図４（ｂ）に示すように、キャップ部材２７の軸方向における内部空間と未使用状態の固形剤２５との間には隙間Ｇが存在するようにキャップ部材２７の寸法が設定されており、空気流出口２７ｃが固形剤２５で塞がれないようになっている。
【００２２】
固形剤２５は、揮発性の機能性成分を含むものであり、臭い対策用に備えられている。なお、この実施の形態では、固形剤２５になっているが、ゲル状等の半固形剤であってもよい。すなわち、最初は内側カバー部材２１に装着できるような保形性を有するものであればよい。
機能性として期待されているものは、悪臭を感じさせなくするものである。消臭は、臭い成分を化学反応を利用して中和し、脱臭は、臭い成分を吸着して、いずれも悪臭を除去する。また、芳香は、香り成分を放出して、悪臭が消えたように感じさせる。これらの機能性を単独でも複数でも備えたものは、いずれも固形剤乃至半固形剤として市販されており、本発明でも使用可能ではあるが、本発明では、図６に詳細に示すように、素焼きのストーン２５ａにハッカ油２５ｂを垂らしたものを使用することが推奨される。
【００２３】
素焼きストーン２５ａは、固形剤２５の本体をなしており、粘土を焼成したもので構成されている。粘土の種類は、特に限定されないが、珪藻土が好ましい。その細孔部位に湿気が適度に吸着されるので、湿気に溶けていた臭い成分も一緒に効率良く吸着されて、好ましい消臭効果が期待できる。
ハッカ油２５ｂは、精油の一種であり、ミントから抽出されたものである。このハッカ油２５ｂが揮発すると、ミント特有のスーッとした爽快感が楽しめる。しかも、天然成分なので口から吸いこんでしまっても健康上問題がない。
このハッカ油２５ｂを素焼きストーン２５ａに数滴垂らすと、その細孔に吸着させた状態となる。
【００２４】
ファン１９の回転により強制的に気流が形成されるので、衣服３の外部から外側カバー部材２３を通って内部へ流入する空気は内側カバー部材２１から吹き出されるが、その一部はファン１９の回転軸心ＣＬ上に位置するキャップ部材２７の周面に沿って流れるため、キャップ部材２７の空気流入口２７ｂから内部に入り込み、固形剤２５に接触して空気流出口２７ｃからキャップ部材２７の外部、即ち衣服３と身体との間に流出する。これによって素焼きストーン２５ａに臭い成分が吸着されて消臭される。また、ハッカ油２５ｂの揮発分が汗に混ざり合うので、その汗が上記したように気化して身体が冷却されたときに通常よりも強い爽快冷え感が感じられるようになる。
【００２５】
気密性の高い空間（環境）で作業を行う場合、臭い対策を講じないでいると作業環境が悪化するが、上記のように構成することでこの臭い問題を消臭で解決するだけでなく、身体に心地良さも与えることができる。
また、本来の目的である空冷のための気流を利用できるので、簡単な構成で効率的に上記効果を得ることができる。
【００２６】
冷却衣服用送風装置５、７を衣服３に取り付ける場合には、図５に示すように、衣服３に外側カバー部材２３の環状壁部２３ａを挿通可能な穴２９を開け、穴２９と略同じ径の穴３１ａを開けた補強部材３１を衣服３の穴２９の内側に宛がい、穴２９と穴３１ａとが一致した状態で補強部材３１をアイロン等の加熱手段で加熱して衣服３に溶着（熱接着）して固定する。次いで、衣服３の外側から外側カバー部材２３の環状壁部２３ａを穴２９及び穴３１ａへ通して環状壁部２３ａを衣服３の内部に突出させる。次いで内側カバー部材２１をその雌ネジ部２１ｆを外側カバー部材２３の雄ネジ部２３ｆに嵌合させて外側カバー部材２３と内側カバー部材２１とを一体化する。これにより、冷却衣服用送風装置５、７の衣服３への取り付けが完了する。本実施形態では補強部材３１を用いて衣服３の穴２９の周辺を補強する構成としたが、衣服３のみで冷却衣服用送風装置５、７の固定が十分に得られる場合には補強部材３１は必ずしも必要ではない。
【００２７】
固形剤２５のハッカ油２５ｂは使用時間又は放置時間が経過するに伴い減っていく。従って、時間の経過により効果が減じた段階で、ハッカ油２５ｂを追加的に垂らすか、新しい固形剤２５に交換する。いずれの場合でも、内側カバー部材２１からキャップ部材２７を取り外し、ハッカ油２５ｂを垂らし終えた固形剤２５または新しい固形剤２５を入れてキャップ部材２７を固定すればよい。
【００２８】
以上、本発明の実施の形態について詳述してきたが、具体的構成は、この実施の形態に限られるものではなく、本発明の要旨を逸脱しない範囲における設計の変更などがあっても発明に含まれる。
例えば、固形剤の形状は上記で例示した形状に限らず、円柱状、角柱状、球状又はビーズ状、顆粒状、ブロック状、チップ状などであってもよい。図７は、円柱状の固形剤２５’をキャップ部材２７の中に入れてキャップ部材２７を台座２１ｂに固定することにより、固形剤２５’を内側カバー部材２１に装着した例が示されている。
また、ファンを駆動する電源として二次電池を例示したが、乾電池でもよい。
【００２９】
また、固形剤が市販の消臭剤等のように使用時間又は放置時間が経過するに伴い成分が減って小さくなっていく場合には、固形剤が小さくなった段階で空気流入口２７ｂや空気流出口２７ｃから外部に脱落しないように、空気流入口２７ｂや空気流出口２７ｃにメッシュ部材を設けてもよい。空気流入口２７ｂや空気流出口２７ｃのサイズや形状は上記に限定されない。要するに、ファン１９の回転によって生じる内側カバー部材２１からの吹き出し気流をキャップ部材２７の内部に取り込んで固形剤２５から放出された機能性成分をキャップ部材２７の外部に流出させることができればよく、開口形状や寸法及び個数は適宜に設定することができる。
【符号の説明】
【００３０】
１…冷却衣服                ３…衣服          ５、７…冷却衣服用送風装置
９…電源としての二次電池  １３、１５…導線  １７…冷却衣服用送風装置ユニット
１９…ファン                ２１…カバー部材としての内側カバー部材
２３…カバー部材としての外側カバー部材        ２５…固形剤
２５ａ…素焼きストーン      ２５ｂ…ハッカ油  ２７…筒状部材としてのキャップ部材
２７ｂ…空気流入口          ２７ｃ…空気流出口
【図１】
2019073840.tif 000003
【図２】
2019073840.tif 000004
【図３】
2019073840.tif 000005
【図４】
2019073840.tif 000006
【図５】
2019073840.tif 000007
【図６】
2019073840.tif 000008
【図７】
2019073840.tif 000009